(57)【要約】【課題】苗の育成および貯蔵のいずれにも適した照明を苗に与えることが可能な植物育成貯蔵装置および植物育成貯蔵方法を提供する。【解決手段】光源（照明ランプ３ａ〜３ｈ）と、光源の点灯状態を制御する制御部（制御用コンピュータ８）と、内部に光源と植物とを収納し、外部からの光の遮断が可能な容器（チャンバー１）とを備え、植物の貯蔵時に、制御部は、植物の育成時における光源からの光の照度均斉度が維持される条件で所定の時間毎に光源のオン−オフを繰り返し、植物に対する一日の光の積算光量が、光補償点の光量の光を連続して照射した場合における一日の光の積算光量と略等しくなるように光源の点灯時間を制御することを特徴とする。【選択図】　図１
2004000055.tif 000002
【特許請求の範囲】
【請求項１】
光源と、前記光源の点灯状態を制御する制御部と、内部に前記光源と植物とを収納し、外部からの光の遮断が可能な容器とを備え、前記光源からの光を植物に照射して植物を育成し、育成された植物を貯蔵する植物育成貯蔵装置であって、植物の貯蔵時に、前記制御部は、植物の育成時における前記光源からの光の照度均斉度が維持される条件で所定の時間毎に前記光源のオン−オフを繰り返し、これによる植物に対する一日の光の積算光量が、当該植物に対して光補償点の光量の光を連続して照射した場合における一日の光の積算光量と略等しくなるように前記光源の点灯時間を制御することを特徴とする植物育成貯蔵装置。
【請求項２】
光源と、前記光源の点灯状態を制御する制御部と、前記光源からの光の照度均斉度を向上させる光透過量調整部材と、前記光透過量調整部材を移動させて前記光源と植物との間に前記光透過量調整部材を置き、また前記光源と植物との間から前記光透過量調整部材を取り除くことが可能な移動機構と、内部に前記光源と植物とを収納し、外部からの光の遮断が可能な容器とを備え、前記光源からの光を植物に照射して植物を育成し、育成された植物を貯蔵する植物育成貯蔵装置であって、植物の貯蔵時に、前記移動機構で前記光透過量調整部材を光源と植物との間に介在させ、前記制御部は、植物に対する一日の光の積算光量が、当該植物に対して光補償点の光量の光を連続して照射した場合における一日の光の積算光量と略等しくなるように前記光源の点灯時間を制御することを特徴とする植物育成貯蔵装置。
【請求項３】
複数の光源を備え、植物の貯蔵時に、制御部は、一部の光源のみを選択的に点灯する請求項１または２記載の植物育成貯蔵装置。
【請求項４】
複数の光源と、前記複数の光源の点灯状態を制御する制御部と、一部の前記光源に設けられた照度均斉部材と、内部に前記光源と植物とを収納し、外部からの光の遮断が可能な容器とを備え、前記光源からの光を植物に照射して植物を育成し、育成された植物を貯蔵する植物育成貯蔵装置であって、植物の貯蔵時に、前記制御部は、前記照度均斉部材が設けられた光源を選択的に点灯させ、植物に対する一日の光の積算光量が、当該植物に対して光補償点の光量の光を連続して照射した場合における一日の光の積算光量と略等しくなるように前記照度均斉部材が設けられた光源の点灯時間を制御することを特徴とする植物育成貯蔵装置。
【請求項５】
照度均斉部材が光源の植物とは反対の側に設けられた反射板である請求項４記載の植物育成貯蔵装置。
【請求項６】
照度均斉部材が光源を覆う被膜である請求項４記載の植物育成貯蔵装置。
【請求項７】
制御部によって光源の調光制御が可能であり、植物の貯蔵時に、前記光源の調光制御を併用する請求項１ないし６のいずれか一項に記載の植物育成貯蔵装置。
【請求項８】
光源の植物側に直射光を遮る遮光板を備えた請求項１ないし７のいずれか一項に記載の植物育成貯蔵装置。
【請求項９】
請求項１ないし８のいずれか一項に記載の植物貯蔵装置を用いた植物育成貯蔵方法であって、貯蔵時に一日に植物に照射される光の積算光量が、育成時に一日に植物に照射される光の積算光量の１０分の１以下である植物育成貯蔵方法。
【発明の詳細な説明】
【０００１】
【発明の属する技術分野】
本件の発明は人工光源を用いて野菜や花卉などの植物の苗を育成し、育成した苗を貯蔵する植物育成貯蔵装置および植物育成貯蔵方法に関する。
【０００２】
【従来の技術】
近年、農業従事者の高齢化や労働力不足を補うため、蛍光灯などの人工光源を用いて野菜や花卉などの植物の苗を育成したいという要望が高まっており、人工光源を用いた苗生産システムの開発が進んでいる（特開平５−１３７４５７号公報、特開平６−３０６５５号公報、特開平１１−１０３６７５号公報、特開平１１−１３７１０７号公報などを参照）。
【０００３】
苗の成長にあわせて必要な光強度は変わるが、苗を人工光源で育成しようとすると、一般的に苗に対して１００〜３００μｍｏｌ／ｍ２／ｓ程度の光出力（光合成有効光量子束）が必要とされる。ここに、光はエネルギーを持つ１個の粒子の集まりであるとみなされるが、光量子束とは単位時間当たりに放射される粒子の数をいう。また、光合成有効光量子束（ＰＰＦ：Ｐｈｏｔｏｓｙｎｔｈｅｔｉｃ　Ｐｈｏｔｏｎ　Ｆｌｕｘ）とは光合成に有効な４００〜７００ｎｍの波長域に含まれる光量子束をいう。本明細書において、光合成有効光量子束は、植物が植えられているトレイ面から高さ１０ｃｍの仮想平面における平均値によって求められる。
【０００４】
【発明が解決しようとする課題】
最近、出荷前の苗を人工光源下で一時的に低温で貯蔵して苗の生産計画に役立てようという研究が進み、貯蔵時に苗に対して弱光を照射する方が暗黒下で貯蔵するよりも苗質を長く維持できることが明らかになってきている（久保田、古在他；Ａｃｔａ　Ｈｏｒｔｉｃｕｌｔｕｒａｅ，Ｎｏ．３９３，ｐｐ．８９〜９３（１９９５年３月）、特開２０００−１８８９５７号公報、特開２００１−２８９４６号公報などを参照）。
【０００５】
弱光を照射して低温苗貯蔵を行う場合、苗の種類や周囲の温度などの条件によって違いがあるものの、概ね２〜１５μｍｏｌ／ｍ２／ｓの低光出力が必要とされる。例えば、ブロッコリーの苗であれば、周囲温度５℃で２μｍｏｌ／ｍ２／ｓ、周囲温度１５℃で５μｍｏｌ／ｍ２／ｓの光出力が必要である（上記久保田、古在他を参照。）。
【０００６】
したがって、苗の育成に必要な光出力と、貯蔵に必要な光出力とは１００倍程度という大きな違いがある。このため、人工光源によって強光を照射する苗の育成と弱光を照射する苗の貯蔵とは別個のシステムを用いて行われており、苗を移し替える必要があった。
【０００７】
これをあえて１つのシステムで苗の育成と貯蔵とを行おうとすると、光源の調光範囲を非常に大きなものとしなければならないという問題や、育成時に必要とされる大出力の光源を貯蔵時には低温（例えば、５℃）の環境下で低出力（例えば、５％以下の調光）で点灯させなければならず、照明ランプ出力が不安定になってちらついたり、照明ランプが立ち消えたりするおそれがあり、安定性に欠けるという問題が生じる。このため、人工光源を用いて野菜や花卉などの植物の苗を育成し、出荷前の苗を貯蔵する植物育成貯蔵装置において、苗育成用の大出力の光源をそのまま低出力で用いて苗貯蔵用の光源に転用することは困難である。
【０００８】
この問題を解決するためには、貯蔵時には育成用に設置された複数の光源の一部のみを点灯させることが考えられるが、これでは照度均斉度が低く、個々の苗に照射される光の量が苗の位置によって異なることとなり、苗質にバラツキが生じてしまう。また、一部の光源のみであってもそれを本来の出力通りに点灯すると貯蔵時としては明るすぎて苗の葉焼けを生じさせることもある。
【０００９】
本件の発明は、以上の課題に鑑みてなされたもので、苗の育成および貯蔵のいずれにも適した照明を苗に与えることが可能な植物育成貯蔵装置および植物育成貯蔵方法を提供することを目的とする。
【００１０】
【課題を解決するための手段】
請求項１に係る植物育成貯蔵装置の発明は、光源と、前記光源の点灯状態を制御する制御部と、内部に前記光源と植物とを収納し、外部からの光の遮断が可能な容器とを備え、前記光源からの光を植物に照射して植物を育成し、育成された植物を貯蔵する植物育成貯蔵装置であって、植物の貯蔵時に、前記制御部は、植物の育成時における前記光源からの光の照度均斉度が維持される条件で所定の時間毎に前記光源のオン−オフを繰り返し、これによる植物に対する一日の光の積算光量が、当該植物に対して光補償点の光量の光を連続して照射した場合における一日の光の積算光量と略等しくなるように前記光源の点灯時間を制御することを特徴とする。ここで、光補償点とは、植物の光合成によるＣＯ２の吸収と、植物の呼吸によるＣＯ２の排出とが釣り合い、見かけ上容器内のＣＯ２の増減がゼロになる光強度のことである。光補償点は植物の種類や培地のショ糖濃度、温湿度などの様々な条件によって変化するものであり、予め個々に求めなければならない。
【００１１】
請求項２に係る植物育成貯蔵装置の発明は、光源と、前記光源の点灯状態を制御する制御部と、前記光源からの光の照度均斉度を向上させる光透過量調整部材と、前記光透過量調整部材を移動させて前記光源と植物との間に前記光透過量調整部材を置き、また前記光源と植物との間から前記光透過量調整部材を取り除くことが可能な移動機構と、内部に前記光源と植物とを収納し、外部からの光の遮断が可能な容器とを備え、前記光源からの光を植物に照射して植物を育成し、育成された植物を貯蔵する植物育成貯蔵装置であって、植物の貯蔵時に、前記移動機構で前記光透過量調整部材を前記光源と植物との間に介在させ、前記制御部は、植物に対する一日の光の積算光量が、当該植物に対して光補償点の光量の光を連続して照射した場合における一日の光の積算光量と略等しくなるように前記光源の点灯時間を制御することを特徴とする。
【００１２】
請求項３に係る植物育成貯蔵装置の発明は、前記の各植物育成貯蔵装置において、光源が複数あり、植物の貯蔵時に、制御部は、一部の光源のみを選択的に点灯するものである。
【００１３】
請求項４に係る植物育成貯蔵装置の発明は、複数の光源と、前記複数の光源の点灯状態を制御する制御部と、一部の前記光源に設けられた照度均斉部材と、内部に前記光源と植物とを収納し、外部からの光の遮断が可能な容器とを備え、前記光源からの光を植物に照射して植物を育成し、育成された植物を貯蔵する植物育成貯蔵装置であって、植物の貯蔵時に、前記制御部は、前記照度均斉部材が設けられた光源を選択的に点灯させ、植物に対する一日の光の積算光量が、当該植物に対して光補償点の光量の光を連続して照射した場合における一日の光の積算光量と略等しくなるように前記照度均斉部材が設けられた光源の点灯時間を制御することを特徴とする。
【００１４】
請求項５に係る植物育成貯蔵装置の発明は、請求項４に係る植物育成貯蔵装置において、前記照度均斉部材が光源の植物とは反対の側に設けられた反射板であるものである。また、請求項６に係る植物育成貯蔵装置の発明は、前記照度均斉部材が光源を覆う被膜であるものである。
【００１５】
請求項７に係る植物育成貯蔵装置の発明は、前記各植物育成貯蔵装置において、制御部によって光源の調光制御が可能であり、植物の貯蔵時に、前記光源の調光制御を併用するものである。また、請求項８に係る植物育成貯蔵装置の発明は、前記各植物育成貯蔵装置において、光源の植物側に直射光を遮る遮光板を備えたものである。
【００１６】
請求項９に係る植物育成貯蔵方法の発明は、前記各植物育成貯蔵装置を用いた植物育成貯蔵方法であって、貯蔵時に一日に植物に照射される光の積算光量が、育成時に一日に植物に照射される光の積算光量の１０分の１以下であるものである。
【００１７】
【発明の実施の形態】
以下、図面を参照しながら本件各発明の実施形態の一例を説明する。
【００１８】
（実施形態１）
本件発明の実施形態１の植物育成貯蔵装置の概略構成図を図１に示す。図１に示す植物育成貯蔵装置は、植物の苗２を育成し、育成された苗２を貯蔵するチャンバー（容器）１と、苗の育成、貯蔵時に苗に光を照射する照明ランプ（光源）３ａ〜３ｈとを備えている。
【００１９】
チャンバー１によって苗は外部と遮断され、苗に照射される光の量はチャンバー１内部の照明ランプ３ａ〜３ｈのオン−オフ（および照明ランプが調光可能な場合は調光制御）によって調節される。また、チャンバー１内部の温度も外部の温度とは独立して制御が可能であり、苗の貯蔵時にはチャンバー１内部は低温に設定される（これらの点は他の実施形態においても同様である。）。なお、チャンバー１内部の温度を検知するための機構、温度制御のための熱源とその制御機構等は通常のものであり、その図示および詳しい説明を省略する。チャンバー１は光源と苗とが内部に収納可能であれば、その大きさは問わず、大きな部屋状のものでもよい（これらの点も他の実施形態において同様である。）。
【００２０】
８本の照明ランプ３ａ〜３ｈは２本ずつまとめられて２灯用の安定器４ａ〜４ｄに接続されている。安定器４ａ〜４ｄからの電源線５は１つのオン−オフスイッチ６に接続されており、オン−オフスイッチ６から延びた信号線７は制御用コンピュータ（制御部）８に接続されている。なお、図１では、安定器４ａ〜４ｄはチャンバー１内部に置かれているが、外部に置いても構わない。
【００２１】
この実施形態１の植物育成貯蔵装置では、苗の育成時には、照明ランプ３ａ〜３ｈの全てが点灯される。育成した苗を貯蔵する際には、制御用コンピュータ８でオン−オフスイッチ６を制御して、光源の照度均斉度が維持される条件で所定の時間毎に照明ランプ６のオン−オフを一括して繰り返す。この際、照明ランプを点灯する時間を夜間に集中させれば、割安な深夜電力などを有効に利用することができる。
【００２２】
ここに、光源の照度均斉度が維持される条件とは、照明ランプが調光制御可能な場合は、苗の貯蔵時に制御用コンピュータ８で調光制御を行っても良いが、苗の育成時の光線の照度均斉度が維持されるように、過度に調光して照明ランプの出力が不安定になってちらついたり、立ち消えしたりしない範囲で調光制御するということである。
【００２３】
図２において、ハッチングを施してある部分は照明ランプが点灯されている時間であり、図２（ａ）は苗に対して光補償点（苗の種類などに応じて変わる。）の光量の光を連続して照射した状態を示している。実施形態１では、図２（ｂ）に示すように、貯蔵時に所定の時間毎に照明ランプ３ａ〜３ｈのオン−オフを繰り返す。一日に苗に照射される光の積算光量は図２のハッチングが施された部分の面積に相当するので、図２（ａ）でハッチングが施された部分の面積と図２（ｂ）でハッチングが施された部分の面積が等しくなるように貯蔵時の照明ランプ３ａ〜３ｈの点灯時間を設定する。苗に照射される光量は時間的な積算が可能であり、これによって、苗の貯蔵時の一日の積算光量が、当該苗に対して光補償点の光量の光を連続して照射した場合における一日の光の積算光量と略等しくする。
【００２４】
実施形態１のように、苗に対して暗期を設けながら、一時的に苗に対して強い光を与えることによって、苗の活性度が高められ、光補償点での一定光照射による光貯蔵よりも高い苗質を維持することが可能となる。
【００２５】
（実施形態２）
本件発明の実施形態２の植物育成貯蔵装置の概略構成図を図３に示す。図３に示す植物育成貯蔵装置は、苗２を育成し、育成された苗２を貯蔵するチャンバー（容器）１と、苗の育成、貯蔵時に苗に光を照射する照明ランプ（光源）３ａ〜３ｈとを備えている。チャンバー１によって苗は外部と遮断され、苗に照射される光の量はチャンバー１内部の照明ランプ３ａ〜３ｈのオン−オフ（および照明ランプが調光可能な場合は調光制御）によって調節され、チャンバー１内部の温度も外部の温度とは独立して制御が可能である。
【００２６】
８本の照明ランプ３ａ〜３ｈは２本ずつまとめられて２灯用の安定器４ａ〜４ｄに接続されている。各安定器４ａ〜４ｄから延びた電源線５ａ〜５ｄは各々１つのオン−オフスイッチ６ａ〜６ｄに接続されており、各オン−オフスイッチ６ａ〜６ｄから延びた信号線７は制御用コンピュータ（制御部）８に接続されている。
【００２７】
この実施形態２の植物育成貯蔵装置では、苗の育成時には、照明ランプ３ａ〜３ｈの全てが点灯される。育成した苗を貯蔵する際には、制御用コンピュータ８でオン−オフスイッチ６ａ〜６ｄを制御して、光源の照度均斉度が維持される条件で所定の時間毎に照明ランプ６ａ〜６ｈのオン−オフを繰り返す。この際、照明ランプ６ａ〜６ｈを一括してオン−オフしても、２本の照明ランプずつを別々にオン−オフしてもいずれでもよい。
【００２８】
苗の貯蔵時には、一日の光の積算光量が、当該植物に対して光補償点の光量の光を連続して照射した場合における一日の光の積算光量と略等しくなるように、制御用コンピュータ８によって照明ランプを点灯する時間が設定される。
【００２９】
表１は光補償点の光量の光を連続して照射する場合の点灯タイムスケジュールの一例である。この例は、苗に対して光補償点の光量の光を連続して照射した場合における一日の光の積算光量が２４０μｍｏｌ／ｍ２／ｓの例である。１つの照明ランプを一日の間に１回以上は点灯・消灯させて、一日の光の積算光量が、この苗に対して光補償点の光量の光を連続して照射した場合における一日の光の積算光量と等しくなるようにした点灯タイムスケジュールの一例を表２に示す。
【００３０】
【表１】
2004000055.tif 000003
【００３１】
【表２】
2004000055.tif 000004
【００３２】
実施形態２のように、チャンバー内の光源をいくつかの組に分けて独立してオン−オフ可能にしておけば、チャンバー内に複数の棚があり、苗のトレイが置かれる棚と苗のトレイが置かれない棚とがある場合、苗の育成を開始する前に制御用コンピュータに苗のトレイが置かれない棚の位置を入力し、苗のトレイが置かれない棚の上部に設置された照明ランプを苗の育成、貯蔵時に全く点灯させないように制御することが可能である。
【００３３】
また、チャンバー内の光源をいくつかの組に分けて独立してオン−オフ可能にしておけば、ＯＮ−ＯＦＦの時間と貯蔵時に点灯する本数とを単位時間ごとに変えることによって、貯蔵時に定常的に弱光をあてている中で、苗活力を維持する目的で短時間のみ強光をあてる光刺激貯蔵を行うことも可能である。
【００３４】
（実施形態３）
本件発明の実施形態３の植物育成貯蔵装置の概略構成図を図４に示す。図４に示す植物育成貯蔵装置は、苗２を育成し、育成された苗２を貯蔵するチャンバー（容器）１と、苗の育成、貯蔵時に苗に光を照射する照明ランプ（光源）３ａ〜３ｈとを備えている。チャンバー１によって苗は外部と遮断され、苗に照射される光の量はチャンバー１内部の照明ランプ３ａ〜３ｈのオン−オフおよび照明ランプの調光制御によって調節され、チャンバー１内部の温度も外部の温度とは独立して制御が可能である。
【００３５】
８本の照明ランプ３ａ〜３ｈは２本ずつまとめられて２灯用の安定器４ａ〜４ｄに接続されている。各安定器４ａ〜４ｄから延びた電源線５ａ〜５ｄは各々１つのオン−オフスイッチ６ａ〜６ｄに接続されており、各オン−オフスイッチ６ａ〜６ｄから延びた信号線７ａは制御用コンピュータ（制御部）８に接続されている。安定器４ａ〜４ｄは調光制御ブロック９ａ〜９ｄと各々接続され、各調光制御ブロック９ａ〜９ｄは信号線７ｂを介して制御用コンピュータ８と接続されており、制御用コンピュータ８からの信号を受けて任意の調光信号（ＤＵＴＹ信号）を各安定器４ａ〜４ｄに送ることができ、照明ランプ３ａ〜３ｈは調光機能を有する。
【００３６】
この実施形態３の植物育成貯蔵装置では、苗の育成時には、照明ランプ３ａ〜３ｈの全てが点灯される。育成した苗を貯蔵する際には、制御用コンピュータ８でオン−オフスイッチ６ａ〜６ｄを制御して、光源の照度均斉度が維持される条件で所定の時間毎に照明ランプ３ａ〜３ｈのオン−オフを繰り返して、一日の光の積算光量が、当該植物に対して光補償点の光量の光を連続して照射した場合における一日の光の積算光量と略等しくなるように、制御用コンピュータ８によって照明ランプ３ａ〜３ｈを点灯する時間が設定される。
【００３７】
なお、調光制御は、照明ランプ１本の光強度が強く、苗に対して飽和点を超えてしまい、葉焼けを起こすなどの問題が発生する場合に特に必要である。
【００３８】
（実施形態４）
本件発明の実施形態４の植物育成貯蔵装置の概略構成図を図５に示す。図５に示す植物育成貯蔵装置は、苗２を育成し、育成された苗２を貯蔵するチャンバー（容器）１と、苗の育成、貯蔵時に点灯される照明ランプ（光源）３ｅ，３ｆと苗の育成時にのみ点灯される照明ランプ（光源）３ａ〜３ｄ，３ｇ〜３ｈとを備えている。チャンバー１によって苗は外部と遮断され、苗に照射される光の量はチャンバー１内部の照明ランプ３ａ〜３ｈのオン−オフ（および照明ランプが調光可能な場合は調光制御）によって調節され、チャンバー１内部の温度も外部の温度とは独立して制御が可能である。
【００３９】
８本の照明ランプ３ａ〜３ｈは２本ずつまとめられて２灯用の安定器４ａ〜４ｄに接続されている。各安定器４ａ〜４ｄから延びた電源線５ａ〜５ｄは各々１つのオン−オフスイッチ６ａ〜６ｄに接続されており、各オン−オフスイッチ６ａ〜６ｄから延びた信号線７は制御用コンピュータ（制御部）８に接続されている。
【００４０】
この実施形態４の植物育成貯蔵装置には、光透過量調整部材１０と、制御用コンピュータ８からの所定の信号を受けて、光透過量調整部材１０を移動させて照明ランプ３ａ〜３ｈと苗２との間に光透過量調整部材１０を置き、また照明ランプ３ａ〜３ｈと苗２との間から光透過量調整部材１０を取り除くことが可能な移動機構（図示しない）とが設けられている。光透過量調整部材１０は光の透過量を低減して苗の貯蔵時に苗に過度に強い光が照射されることを回避するとともに、照明ランプ３ａ〜３ｆからの光の照度均斉度を向上させるものである。
【００４１】
このような光透過量調整部材１０としては、アクリルやポリエチレンなどに色素などの所望の材料を添加した材料からなる平面シート、樹脂を成形加工して表面にプリズム状の溝を設けたプリズムシート、印刷（偏光処理を含む）や蒸着などにより透過率や拡散性などを制御したガラス板などが挙げられる。
【００４２】
この植物育成貯蔵装置では、苗の育成時には、照明ランプと苗との間から光透過量調整部材１０が取り除かれ、照明ランプ３ａ〜３ｈの全てが連続して点灯される。苗の貯蔵時には、照明ランプと苗との間に光透過量調整部材１０が設置され、照明ランプ３ｅ，３ｆのみが点灯される。制御用コンピュータ８でオン−オフスイッチ６ａ〜６ｃを制御して、照明ランプ３ｅ，３ｆの点灯時間が、光透過量調整部材１０を通過して苗に照射される一日の光の積算光量が、当該植物に対して光補償点の光量の光を連続して照射した場合における一日の光の積算光量と略等しくなるように設定される。すなわち、照明ランプ３ｅ，３ｆのオン−オフ制御と光透過量調整部材１０との両方で貯蔵時の光量を調整する。
【００４３】
光透過量調整部材１０は苗の貯蔵時に用いられるものであるから、実施形態４の植物育成貯蔵装置のように苗の貯蔵時に一部の光源しか点灯されないのであれば、その苗の貯蔵時に点灯される苗の位置に応じた光の透過量分布を有していればよい。例えば、図６に模式的に示すように、光透過量調整部材１０のうち、苗の貯蔵時にも点灯される照明ランプ３の下側部分の光透過量が、苗の育成時にのみ点灯される他の照明ランプの下側部分の光透過量よりも小さくなるように光透過量調整部材１０の光の透過率分布パターン１０ａを決めればよい。
【００４４】
（実施形態５）
本件発明の実施形態５の植物育成貯蔵装置の概略構成図を図７に示す。図７に示す植物育成貯蔵装置は、制御用コンピュータ８からの所定の信号により移動可能なチューブ状の光透過量調整部材１０を苗の貯蔵時に点灯される照明ランプ３ｅを囲むように設けたものである。
【００４５】
光透過量調整部材１０の形態が異なる以外、実施形態５の植物育成貯蔵装置は、図５に示す植物育成貯蔵装置とは同様の構成を有しており、その詳しい説明を省略する。
【００４６】
（実施形態６）
本件発明の実施形態６の植物育成貯蔵装置の概略構成図を図８に示す。図８に示す植物育成貯蔵装置は、制御用コンピュータ８からの所定の信号により移動可能な光透過量調整部材１０を、照明ランプ３ａ〜３ｈを覆うベルト状の部材で構成したものである。
【００４７】
この光透過量調整部材１０は部分によって光透過率が異なり、着色等されていて光透過率が低い部分と、無色透明で光透過率が高い部分とが存在する。苗の育成時には、無色透明な部分を照明ランプ側にして光量が不足しないようにする。一方、苗の貯蔵時には、ベルト状光透過量調整部材１０を回転させて、点灯される照明ランプの下側には、光透過率が低い部分が来るようにする。貯蔵時に点灯される照明ランプを所定の時間毎に変えていき、それにあわせてベルト状光透過量調整部材１０を回転させて、点灯される照明ランプの下側に光透過率が低い部分が来るようにすれば、各照明ランプを同等の時間ずつ点灯することになるから、照明ランプの寿命を揃えることができる。
【００４８】
ベルト状の光透過量調整部材１０にカラーフィルタを設けて、光色に変化をもたせることも可能である。
【００４９】
（実施形態７）
本件発明の実施形態７の植物育成貯蔵装置の概略構成図を図９に示す。図９に示す植物育成貯蔵装置は、苗２を育成し、育成された苗２を貯蔵するチャンバー（容器）１と、苗の育成、貯蔵時に点灯される照明ランプ（光源）３ｃ，３ｄと苗の育成時にのみ点灯される照明ランプ（光源）３ａ〜３ｂ，３ｅ〜３ｈとを備えている。チャンバー１によって苗は外部と遮断され、苗に照射される光の量はチャンバー１内部の照明ランプ３ａ〜３ｈのオン−オフ（および照明ランプが調光可能な場合は調光制御）によって調節され、チャンバー１内部の温度も外部の温度とは独立して制御が可能である。
【００５０】
８本の照明ランプ３ａ〜３ｈは２本ずつまとめられて２灯用の安定器４ａ〜４ｄに接続されている。各安定器４ａ〜４ｄからのびた電源線５ａ〜５ｄは各々１つのオン−オフスイッチ６ａ〜６ｄに接続されており、各オン−オフスイッチ６ａ〜６ｄからのびた信号線７ａは制御用コンピュータ（制御部）８に接続されている。
【００５１】
この実施形態７の植物育成貯蔵装置では、苗の育成、貯蔵時に点灯される照明ランプ３ｃ，３ｄの上部（苗とは反対の側）に、照明ランプ３ｃ，３ｄからの光の照度を均斉化する照度均斉部材として反射板１１が設置され、照明ランプ３ｃ，３ｄの下部（苗側）には、貯蔵時に照明ランプの光が強すぎる場合に、苗に光が直接照射されることを防止するために遮光板１２が設置されている。
【００５２】
このような構成で貯蔵時に照明ランプ３ｃ，３ｄを常時点灯させた場合に、積算光量が多すぎるようであれば、制御用コンピュータ８でオン−オフスイッチ６ａ〜６ｃを制御して、照明ランプ３ｃ，３ｄの点灯時間を調整したり、調光制御を併用したりして、一日の光の積算光量が、当該植物に対して光補償点の光量の光を連続して照射した場合における一日の光の積算光量と略等しくなるように設定する。
【００５３】
貯蔵時に点灯される照明ランプからの光の照度を均斉化する照度均斉部材として、反射板に代えて、照明ランプを覆う被膜を設けてもよい。このような被膜として、濃淡パターンを印刷した被膜が挙げられる。
【００５４】
遮光板１２を設ける必要がないときは、これを省略してもよい。このような遮光板は他の実施形態においても必要により設けてもよい。また、必要により、チャンバー内部の上面全体を覆う上部反射板を設けてもよい。この場合、苗の育成時に反射板１１を上部反射板内に収納できるようにしてもよい。
【００５５】
育成時と貯蔵時とで点灯する照明ランプを完全に分け、貯蔵時に点灯される照明ランプを育成時に点灯せず、貯蔵時専用にしてもよい。貯蔵用照明ランプの向きは、育成用照明ランプに対して平行と垂直の２通りが考えられる。直管タイプの蛍光灯を貯蔵用照明ランプに用いれば、平面均一照射と照射強度の調節が可能である。
【００５６】
上述の植物育成貯蔵装置を用いた植物育成貯蔵方法においては、苗の種類および苗の成長の段階によって違いがあるが、苗の育成時に、苗に対して１００〜３００μｍｏｌ／ｍ２／ｓ程度の光出力（光合成有効光量子束）の光を照射する必要がある。一般に、苗の貯蔵時に一日に苗に照射される光の積算光量は育成時の一日の積算光量の１／１０以下である。
【００５７】
【発明の効果】
本件の各請求項に係る発明によれば、低温で光量を小さくしなければならない植物貯蔵時において、植物に照射される光の安定性を高めることができ、苗の育成および貯蔵のいずれにも適した照明を苗に与えることができる。このため、１つの装置で植物育成と植物貯蔵とを行うことができ、装置や施設の省スペース化が図られるとともに、従来必要であった植物育成用チャンバーから植物貯蔵用チャンバーへの植物苗のトレイ等の移動の手間がなくなり、さらに、苗の育成から貯蔵までが１つのシステムで一元管理できるため、より計画的な生産や出荷調整が可能となる。
【図面の簡単な説明】
【図１】本件発明の実施形態１の植物育成貯蔵装置の概略構成図である。
【図２】時刻毎の照射光量の説明図である。
【図３】本件発明の実施形態２の植物育成貯蔵装置の概略構成図である。
【図４】本件発明の実施形態３の植物育成貯蔵装置の概略構成図である。
【図５】本件発明の実施形態４の植物育成貯蔵装置の概略構成図である。
【図６】光透過量調整部材の透過率分布パターンの説明図である。
【図７】本件発明の実施形態５の植物育成貯蔵装置の概略構成図である。
【図８】本件発明の実施形態６の植物育成貯蔵装置の概略構成図である。
【図９】本件発明の実施形態７の植物育成貯蔵装置の概略構成図である。
【符号の説明】
１：チャンバー（容器）
２：苗
３ａ〜３ｈ：照明ランプ（光源）
８：制御用コンピュータ（制御部）
９ａ〜９ｄ：調光制御ブロック
１０：光透過量調整部材
１１：反射板
１２：遮光板
【図１】
2004000055.tif 000005
【図２】
2004000055.tif 000006
【図３】
2004000055.tif 000007
【図４】
2004000055.tif 000008
【図５】
2004000055.tif 000009
【図６】
2004000055.tif 000010
【図７】
2004000055.tif 000011
【図８】
2004000055.tif 000012
【図９】
2004000055.tif 000013